(57)【特許請求の範囲】
【請求項１】
希ガスが封入されたガラスバルブと、前記ガラスバルブの両端部から前記ガラスバルブの長手方向に沿って突出する一対の電極と、前記電極に接続するコネクタと、を備え、前記電極は、少なくとも軸部と、段差部及び周面とを有する径大部と、を備え、前記段差部は前記コネクタを掛止する第１の掛止部を有し、前記周面は、前記コネクタを接触させる接触部を有し、前記コネクタは、前記電極を内部に挿入するコネクタ本体と、前記電極の前記第１の掛止部を掛止する第２の掛止部と、前記電極の前記接触部と接続する接続部と、を備え、前記接続部は、前記電極の前記接触部と接触した状態において弾性変形するように、前記コネクタ本体の内方に突出して構成される放電管。
【請求項２】
前記径大部は、円柱状で構成され、前記径大部の円柱状部における段差部に前記第１の掛止部を有し、前記径大部の円柱状部における周面に前記接触部を有する請求項１に記載の放電管。
【請求項３】
前記径大部は、さらに凹部を備える請求項１に記載の放電管。
【請求項４】
請求項１記載の放電管を備えた発光装置。
【発明の詳細な説明】
【技術分野】
【０００１】
本発明は、光照射治療・予防装置やストロボ装置などの発光装置の光源として用いられる放電管及び該放電管を備えた発光装置に関する。
【背景技術】
【０００２】
従来から、発光装置は、光を照射して疾患の罹患を予防し又は罹患時の当該疾患の症状を軽減する光照射治療・予防装置や、被写体に光を照射するストロボ装置などとして利用されている。発光装置は、光源としての放電管と、該放電管の発光を制御するための発光制御回路と、を備える。放電管は、希ガスが封入された筒状のガラスバルブと、該ガラスバルブの両端部に封着された一対の電極と、を備える。放電管と発光制御回路とは、リード線を介して接続されている。そして、リード線の放電管側の接点は、電極に接続されている。この電極とリード線との接続箇所は、当該電極とリード線とを確実に接合させるとともに、電気的に確実に通電させるために、ハンダにより溶着される（特許文献１〜３参照）。更に、この接続箇所は、熱収縮チューブで被覆され、電極とリード線との密着性を高めている（特許文献３  段落００６０及び図７参照）。
【先行技術文献】
【特許文献】
【０００３】
【特許文献１】特開平０９−  ９０４８１号公報
【特許文献２】特開２００２−１６４０２１号公報
【特許文献３】特開２００９−２３８５５３号公報
【発明の概要】
【発明が解決しようとする課題】
【０００４】
しかし、放電管が繰り返し発光されたり、連続して発光されたりすると、発光により発生する熱は、放電管の電極とリード線とを接続するハンダに蓄積されて高温になる。このような条件で放電管を使用し続けると、ハンダが高温な状態が続き、ハンダは溶解しやすくなる。そして、そのハンダが溶解することにより、電極とリード線との結合は緩む。
【０００５】
従って、本発明は、かかる事情に鑑み、ハンダを用いることなく、電極に接続することができるコネクタを有する放電管及び該放電管を備える発光装置を提供することを目的とする。
【課題を解決するための手段】
【０００６】
本発明の放電管は、希ガスが封入されたガラスバルブと、前記ガラスバルブの両端部から前記ガラスバルブの両端部から前記ガラスバルブの長手方向に沿って突出する一対の電極と、前記電極に接続するコネクタと、を備え、前記電極は、少なくとも軸部と、段差部および周面とを有する径大部と、を備え、前記段差部は、前記コネクタを掛止する第１の掛止部を有し、前記周面は、前記コネクタを接触させる接触部を有し、前記コネクタは、前記電極を内部に挿入するコネクタ本体と、前記電極の前記第１の掛止部を掛止する第２の掛止部と、前記電極の前記接触部と接続する接続部と、を備え、前記接続部は、前記電極の前記接触部と接触した状態において弾性変形するように、前記コネクタ本体の内方に突出して構成される。
【０００７】
かかる構成によれば、コネクタが電極に挿入されることにより、電極は当該コネクタのコネクタ本体の内部に嵌め込まれる。このとき、コネクタの第２の掛止部は、当該コネクタの筒心方向から挿入された電極の第１の掛止部を掛止し、これによって当該コネクタに確実に接合される。コネクタの接続部は、電極の接触部と接触して、当該電極をコネクタに電気的に確実に通電できるよう接続される。例えば、リード線がコネクタに接続されている場合であれば、放電管は、ハンダで電極にリード線と接続されることなく、コネクタを介して電極にリード線を接続することができる。更に、電極は、径大部が設けられることにより増加した当該電極の体積分に相当する熱容量を増加させ、及び、増加した当該電極の表面積に相当する放熱効率を増加させて、発熱しにくくすることもできる。また、コネクタが電極に挿入されることにより、電極はコネクタ本体の内方に突出した接続部に接触される。コネクタの接続部は、電極の接触部に弾性変形した状態で接触している。よって、コネクタの接続部が電極の接触部に押圧された状態となるため、電極は、コネクタに電気的に確実に通電できるように接続することができる。
【０００８】
また、請求項２記載の発明において、径大部は、電極の突出方向に長尺な円柱形状を有し、該円柱形状における段差部に第１の掛止部を有し、円柱形状における周面に接触部を有する構成を有することが好ましい。
【０００９】
かかる構成によれば、電極は、円柱形状に設けられることにより増加した当該電極の体積分に相当する熱容量を増加させ、及び、増加した当該電極の表面積に相当する放熱効率を増加させて、発熱しにくくすることができる。
【００１２】
また、請求項３記載の発明において、径大部は、電極の半径方向の内側に凹んだ凹部を備える構成を有することが好ましい。
【００１３】
かかる構成によれば、電極は、凹部が設けられたことにより増加した電極の表面積に相当する放熱効率を増加させて、発熱しにくくすることができる。
【００１４】
また、本発明の発光装置は、前述の放電管を備えるという構成を有している。
【発明の効果】
【００１５】
本発明の放電管及び該放電管を備える発光装置は、ハンダを用いることなく、電極に接続することができるコネクタを有することができる。
【図面の簡単な説明】
【００１６】
【図１】本発明の一実施形態に係る光照射治療・予防装置の制御回路図
【図２】同実施形態に係る光照射治療・予防装置の外観図
【図３】同実施形態に係る放電管の断面図
【図４】同実施形態に係る放電管の電極部分の拡大斜視図
【図５】同実施形態に係るコネクタの断面図
【図６】同実施形態に係る放電管の電極にコネクタが接続された状態にある図３のＡ部の拡大断面図
【図７】（ａ）〜（ｃ）は、他の実施形態に係る電極の拡大斜視図
【発明を実施するための形態】
【００１７】
本発明の実施形態に係る発光装置について、光照射治療・予防装置を例に、図面を参酌しつつ、説明する。まず、同実施形態に係る光照射治療・予防装置について、図１〜図６を参酌しつつ説明する。同実施形態に係る光照射治療・予防装置１は、主に、炎症性疾患の罹患を予防し又は罹患時の当該疾患の症状を軽減する予防治療を受ける被治療者や、炎症性疾患を抑制することにより炎症性疾患の治療を受ける被治療者（患者）などの治療を受けるために当該装置を使用する使用者に光を照射する発光装置の一例である。
【００１８】
同実施形態に係る光照射治療・予防装置１は、図１に図示する光照射治療・予防装置の制御回路図に示されているように、被写体に対して光を放射する放電管２と、該放電管２から放射される放射光を被写体に向けて反射する反射部材３と、放電管２から放射される放射光のうち波長が特定の範囲内の放射光を透過させる波長透過手段４と、放電管２の発光を制御する発光制御手段５と、放電管２及び発光制御手段５に電気を供給する電源供給手段６と、放電管２、反射部材３、波長透過手段４、発光制御手段５及び電源供給手段６を収納するとともに、波長透過手段４から透過された透過光を使用者の予防したい部位又は罹患した部位（特定部位）に照射可能な構造を有する装置本体７（図２参照）と、を備える。
【００１９】
放電管２は、炎症性サイトカインの産生を抑制するために使用者の生体の予防したい部位又は罹患した部位に照射する光源となる。放電管２は、例えば、キセノン放電管などの閃光放電管である。本実施形態では、この放電管２をキセノン放電管とする例を説明する。
【００２０】
放電管２は、図３に示すように、希ガスが封入された筒状のガラスバルブ８と、該ガラスバルブ８の少なくとも一端部に設けられ、所定の半径を有する電極９，９と、該電極９，９に接続可能なコネクタ１０，１０と、を備える。
【００２１】
ガラスバルブ８は、例えば、硼珪酸ガラス等の硬質ガラスで形成されており、封入されているガスに電子が衝突することで発生する光を外部に放射する。ガラスバルブ８は、円筒形状に形成されており、その長手方向Ｌ１の両端部に電極９，９の一部を内包させた状態で両端部を密閉している。
【００２２】
電極９は、金属材料を棒状に形成したものである。電極９は、ガラスバルブ８の両端部に設けられている。一方の電極９は、カソード電極（陰極）であり、他方の電極９は、アノード電極（陽極）である。各電極９，９は、所定の半径を有する長尺状の軸部１１と、ガラスバルブ８の長手方向Ｌ１に沿って所定の長さを有して径大となる径大部１２と、を備える。
【００２３】
軸部１１は、ガラスバルブ８の端部に当該軸部１１の一端部を内包するとともに、当該軸部１１の他方をガラスバルブ８の端部から外側に突出して形成されている。軸部１１は、ガラスバルブ８の端部からガラスバルブ８の長手方向Ｌ１に突出する。なお、カソード電極９は、ガラスバルブ８の内部に位置する一端部に焼結金属体１３を取り付けている。
【００２４】
径大部１２は、図３及び図４に示すように、電極の半径方向に段差を形成する段差部Ｓ１と、電極９の半径方向Ｌ２における周面Ｓ２と、を有する。段差部Ｓ１は、軸部１１の周面と径大部１２の周面Ｓ２との間に位置する、軸部１１の半径方向における端面である。段差部Ｓ１には、コネクタ１０を掛止する第１の掛止部１４が設けられる。周面Ｓ２には、コネクタ１０を接触させる接触部１５が設けられる。具体的には、径大部１２は、電極９がガラスバルブ８の一端部から当該ガラスバルブ８の長手方向Ｌ１に突出する突出方向（以下、長手方向と同じ符号Ｌ１を用いて説明する）に長尺な円柱形状を有し、該円柱形状の長手方向（電極９の突出方向Ｌ１）における段差部に第１の掛止部１４を有し、円柱形状における（円）周面に接触部１５を有する。すなわち、径大部１２は、軸部１１の軸心方向（本実施形態では、電極９の突出方向Ｌ１と一致）に直交する方向に軸部１１が径大した部分を指す。また、径大部１２は、軸部１１の軸心方向の中途部に設けられる。すなわち、径大部１２は、ガラスバルブ８の端部との間に隙間ができるように、ガラスバルブ８の端部と離間する軸部１１上の位置に設けられる。
【００２５】
コネクタ１０は、図３，図５及び図６に示すように、電極９を内部に挿入可能な筒形状のコネクタ本体１６と、電極９がコネクタ本体１６の筒心方向Ｌ３に挿入される状態で電極９の第１の掛止部１４を掛止する第２の掛止部１７，…と、コネクタ本体１６と電極９の接触部１５とを電気的に接続する接続部１８，…と、を備える。
【００２６】
コネクタ本体１６は、両端部が開放された筒部１９と、該筒部１９の一方の端部に設けられ、電極９を挿入するための第１の開口部２０と、他方の端部に設けられ、リード線を挿入するための第２の開口部２１と、を備える。筒部１９及び第１の開口部２０の径は、電極９の軸部１１及び径大部１２の両方が挿入可能な大きさを有する。第２の開口部２１の径は、リード線が挿入可能な大きさを有している。
【００２７】
第２の掛止部１７，…は、第１の開口部２０側に設けられ、コネクタ本体１６の内方に突出して形成される。具体的には、第２の掛止部１７，…は、コネクタ本体１６の筒部１９からコネクタ本体１６の半径方向Ｌ４に対して第１の開口部２０から第２の開口部２１に向かう方向に傾斜させて突出させている。第２の掛止部１７，…は、コネクタ本体１６の内周方向に沿って１箇所以上に設けられており、好ましくは、コネクタ本体１６の内周方向に均等に３〜４箇所に設けられている。また、第２の掛止部１７，…は、弾性変形可能にも構成されている。
【００２８】
よって、第２の掛止部１７，…は、電極９を第１の開口部２０から挿入するとき、軸部１１及び径大部１２によってコネクタ本体１６側に折り曲げられるように弾性変形するため、軸部１１及び径大部１２を挿入可能な通路が確保されている。すなわち、第２の掛止部１７，…は、電極９にコネクタ本体１６を挿入することを許容する。
【００２９】
更に、径大部１２が第２の掛止部１７，…よりも第２の開口部２１側に挿入されると、弾性変形していた第２の掛止部１７，…は、コネクタ本体１６の内方に突出していた元の状態に復帰する（又は、軸部１１に当接するまで内方に突出した状態に復帰する）。そして、電極９がコネクタ本体１６の内側に挿入されたあと、電極９からコネクタ本体１６を引き抜く方向にコネクタ本体１６が作用するとき、第２の掛止部１７，…は、径大部１２の第１の掛止部１４，…で掛止される。すなわち、第２の掛止部１７，…は、電極９からコネクタ本体１６を引き抜かれることを規制する。
【００３０】
接続部１８，…は、第２の掛止部１７，…よりも第２の開口部２１側に設けられ、第２の掛止部１７，…と同様に、コネクタ本体１６の内方に突出して形成される。すなわち、接続部１８，…は、電極９の接触部１５と接触した状態において弾性変形することによって接触部１５，…に押圧されるようにコネクタ本体１６の内方に突出して構成される。
【００３１】
反射部材３は、放電管２を内部に収納するとともに、放電管２から放射された光を放射する開口を有し、放電管２から放射された光を反射してその開口から外部に照射する。
【００３２】
波長透過手段４は、放電管２から放射された放射光の、１以上の特定の波長、又は、１以上の特定範囲の波長の放射光のみを透過する光学フィルタである。本実施形態に係る光学フィルタは、特定範囲の波長（帯）の放射光のみを選択的に透過するバンドパスフィルタ（干渉フィルタ）である。
【００３３】
発光制御手段５は、放電管２の発光条件の設定を受け付けるとともに自己診断及びその自己診断結果に対応する機能を有する発光制御部と、その動作状態を表示する動作表示手段と、を備える。
【００３４】
発光制御部は、具体的には、放電管２を１回又は複数回に分けて閃光発光させたり、所定の発光間隔で発光制御させたり、複数回に分けて閃光発光させる場合は、更に、放電管２が放射する放射エネルギーを所定の放射エネルギー以下に抑えて閃光発光させるなどの様々な発光パターンで放電管２を発光制御する。
【００３５】
動作表示手段は、照射可能状態を表示する照射状態表示用ＬＥＤや、故障が発生していることを報知して使用者に警告する警告用ＬＥＤ、次の照射可能状態になるまでの待ち時間を表示する待ち時間表示用ディスプレイ（７セグメントディスプレイ）などを備える。
【００３６】
電源供給手段６は、図１に示すように、放電管２の発光エネルギーを蓄える蓄電手段２２と、該蓄電手段２２を充電する充電回路２３と、蓄電手段２２に電気を供給する電源部２４と、該電源部２４のオン・オフを切り替える電源スイッチ２５（図２も参照）と、を備える。
【００３７】
装置本体７は、図２に示すように、少なくとも一つの開口を有する略直方体形状に形成されており、放電管２、反射部材３、波長透過手段４、発光制御手段５、電源供給手段６などを内蔵させるケーシングである。この装置本体７は、一方の面（以下、「前面」と称する）に形成された開口部２６から使用者の手を挿入して、手の甲に特定範囲の波長の光を照射するための台である載置部２７と、該載置部２７内で照射される照射光が開口部２６から漏れることを防止する漏光防止手段２８と、放電管２等で高温となる内部を冷却するための冷却手段２９と、持ち運ぶために把持する取手３０と、を備える。
【００３８】
次に、本発明の実施形態に係る光照射治療・予防装置１において、放電管２の電極９にコネクタ１０を接続する方法について説明する。なお、前述のとおり、電極９，９は、ガラスバルブ８の両端部に一体に固定されている。そして、コネクタ１０は、第２の開口部２１からコネクタ本体１６の内部にリード線が挿入された後にかしめられることにより、第２の開口部２１にリード線が電気的に接続された状態で固定されている。よって、電極９は、コネクタ１０を接続することにより、リード線に接続することができる。
【００３９】
コネクタ１０が電極９にコネクタ本体１６の第１の開口部２０からコネクタ本体１６（筒部１９）の内部に挿入されると、電極９は、まず、第２の掛止部１７，…に接触する。第２の掛止部１７，…は、コネクタ本体１６の内方に突出していた状態から、軸部１１及び径大部１２により押されることにより、コネクタ本体１６の内周面に沿うように押し曲げられた状態に弾性変形する。よって、コネクタ１０には、軸部１１及び径大部１２を挿入可能な通路が確保されるため、電極９は、コネクタ１０の内部に挿入することができる（コネクタ１０を電極９に挿入されることを許容する）。
【００４０】
コネクタ１０が更に電極９に挿入されて、第２の掛止部１７，…が径大部１２よりも第２の開口部２１側に到達すると、径大部１２によりコネクタ本体１６側に押し曲げられていた第２の掛止部１７，…は、径大部１２による押圧から開放されて、その第２の掛止部１７の復元力によりコネクタ本体１６の内方に突出していた元の状態に復帰する。よって、電極９からコネクタ本体１６を引き抜く方向にコネクタ本体１６が作用した場合であっても、第２の掛止部１７は、径大部１２の第１の掛止部１４で掛止されるため、電極９からコネクタ本体１６を引き抜けないようにすることができる（コネクタ１０を電極９から引き抜かれることを規制する）。
【００４１】
その一方で、コネクタ１０の接続部１８は、径大部１２によりコネクタ本体１６の内周面に沿うように弾性変形されるため、径大部１２の接触部１５に押圧された状態となる。よって、リード線を介してコネクタ１０に流れる電流は、接続部１８を介して電極９の接触部１５に流すことができる。
【００４２】
このようにして、コネクタ１０が電極９に挿入されることにより、電極９は、当該コネクタ１０のコネクタ本体１６の内部に嵌め込まれる。このとき、コネクタ１０の第２の掛止部１７は、当該コネクタ本体１６の筒心方向Ｌ３から挿入された電極９の第１の掛止部１４を掛止し、これによって当該電極９はコネクタ１０に確実に接合される。コネクタ１０の接続部１８は、電極９の接触部１５と接触して、当該電極９をコネクタ１０に電気的に確実に通電できるように接続される。すなわち、リード線がコネクタ１０に接続されているため、放電管２は、ハンダで電極９にリード線と接続されることなく、コネクタ１０を介して電極９にリード線を接続させることができる。
【００４３】
更に、電極９は、円柱形状に設けられることにより増加した当該電極９の体積分に相当する熱容量を増加させ、及び、増加した当該電極９の表面積に相当する放熱効率を増加させて、発熱しにくくなる。よって、放電管２が発熱することにより、ガラスバルブ８に封入される希ガスがガラスバルブ８の内部で膨張して、ガラスバルブ８の内部のガス圧が高まり、放電管２が発光しにくくなるのを抑制することができる。
【００４４】
また、電極９は、コネクタ１０が電極９に挿入されることにより、コネクタ本体１６の内方に突出した接続部１８に接触される。コネクタ１０の接続部１８は、電極９の接触部１５に弾性変形した状態で接触している。よって、コネクタ１０の接続部１８が電極９の接触部１５に押圧された状態となるため、電極９は、コネクタ１０に電気的に確実に通電できるように接続することができる。
【００４５】
なお、本発明に係る放電管及び発光装置は、上記実施形態に限定されるものではなく、本発明の要旨を逸脱しない範囲内において種々変更を加え得ることは勿論である。
【００４６】
例えば、上記実施形態に係る光照射治療・予防装置１において、手に照射する例を説明したが、これに限定されるものではない。例えば、炎症性サイトカインの産生の抑制を予防したい他の生体の部位又は罹患した他の生体の部位に照射するようにしてもよく、その生体の部位は、肩や腰、足、全身などどのような場所に照射されるような場合であってもよい。また、人間に照射する場合に限定されるものではなく、人間以外の動物などの生体に対し、治療のために光を当該特定部位に照射するようにしてもよい。これらの場合は、本実施形態に係る光照射治療・予防装置１の構造に限定されず、適宜、照射する生体の特定部位に適した構造とすることを妨げるものではない。
【００４７】
また、上記実施形態に係る放電管２において、径大部１２が軸部１１の１箇所に設けられる例を説明したが、これに限定されるものではない。例えば、径大部は、電極９の突出方向Ｌ１の軸部１１上の複数箇所に設けられていてもよい。
【００４８】
また、上記実施形態に係る放電管２において、径大部１２が予め電極９に形成されている例を説明したが、これに限定されるものではない。例えば、径大部は、軸部と別体であって、当該軸部に挿通可能な孔を有する環状部材であり、当該径大部を軸部に溶接等で固定することにより電気的に接続されて形成されていてもよい。また、径大部は、軸部の外周に沿って取り付け可能な１又は複数の扇状部材であり、当該径大部を軸部に沿って溶接等で固定することにより電気的に接続されて形成されてもよい。また、図７（ａ）に示すように、径大部３１は、軸部１１を電極９の突出方向Ｌ１から圧力を加えてその一部を電極９の半径方向Ｌ２に径大（突出）させて形成されてもよい。この径大部３１における第１の掛止部３２は、軸部１１から半径方向Ｌ２に突出し、最も半径方向Ｌ２から離間した部分より軸部１１側の範囲の部分であり、接触部３３は、軸部１１から半径方向Ｌ２に最も突出した部分である。これらの径大部は、電極の表面積を軸部のみの場合と比べて増加させてその放熱面積を増加させ、又は、電極の体積を軸部のみの場合と比べて増加させてその熱容量を増加させることによって、放熱効率の向上に寄与する。よって、放電管２が発熱することにより発光しにくくなるのを抑制することができる。
【００４９】
また、上記実施形態に係る放電管２において、電極９は、ガラスバルブ８の長手方向Ｌ１に沿って所定の長さを有して径大となる径大部１２を備える例を説明したが、これに限定されるものではない。例えば、径大部は、電極の半径方向の内側に凹んだ凹部を備えていてもよい。具体的には、図７（ｂ）に示すように、凹部３４は、円柱状に形成された円柱部に対して、当該円柱部の長手方向Ｌ１に沿って一端部から他端部まで連続して形成された１以上の溝であってもよい。また、図７（ｃ）に示すように、凹部３５は、円柱状に形成された円柱部に対して、周方向に連続して形成された１以上の溝であってもよい。また、凹部は、径大部の表面（段差部又は周面）の一部に形成された（有底の）穴や、（貫通した）孔であってもよい。これらの凹部は、電極の表面積を径大部及び軸部のみの場合と比べて増加させてその放熱面積を増加させる。よって、放電管２が発熱することにより、発光しにくくなるのを抑制することができる。
【産業上の利用可能性】
【００５０】
本発明に係る放電管及び発光装置は、希ガスが封入された筒状のガラスバルブと、該ガラスバルブの少なくとも一端部からガラスバルブの長手方向に沿って突出し、所定の半径を有する電極と、該電極に接続可能なコネクタと、を備える放電管であって、電極は、ガラスバルブの長手方向に沿って所定の長さを有して径大となる径大部を備え、該径大部は、電極の半径方向に段差を形成する段差部と、電極の半径方向における周面と、を有し、段差部は、コネクタを掛止する第１の掛止部を有し、周面は、コネクタを接触させる接触部を有し、コネクタは、電極を内部に挿入可能な筒形状のコネクタ本体と、電極がコネクタ本体の筒心方向に挿入される状態で電極の第１の掛止部を掛止する第２の掛止部と、コネクタ本体と電極の接触部とを電気的に接続する接続部と、を備える構成を有することによって、ハンダを用いることなく、電極に接続することができるコネクタを有することが必要な用途にも適用することができる。
【符号の説明】
【００５１】
１  光照射治療・予防装置（発光装置）
２  放電管
８  ガラスバルブ
９  電極
１０  コネクタ
１１  軸部
１２  径大部（円柱部）
１４  第１の掛止部
１５  接触部
１６  コネクタ本体
１７  第２の掛止部
１８  接続部
１９  筒部
２０  第１の開口部
２１  第２の開口部
Ｌ１  （ガラスバルブの）長手方向（（電極の）突出方向）
Ｌ２  （電極の）半径方向
Ｌ３  （コネクタ本体の）筒心方向
Ｌ４  （コネクタ本体の）半径方向
Ｓ１  （径大部の）段差部（円柱部の端面）
Ｓ２  （径大部の）周面（円柱部の周面）
【図１】
0005387633.tif 000002
【図２】
0005387633.tif 000003
【図３】
0005387633.tif 000004
【図４】
0005387633.tif 000005
【図５】
0005387633.tif 000006
【図６】
0005387633.tif 000007
【図７】
0005387633.tif 000008